(57)【特許請求の範囲】
【請求項１】
貯蔵庫本体にはヒンジ部を介して扉が開閉可能に支持され、このヒンジ部の扉側にはマグネットを収容したホルダが装着される一方、ヒンジ部の貯蔵庫本体側には前記マグネットに感応するリードスイッチが設けられたものであって、
前記ホルダには、開閉方向が互いに反対の一対の扉に対して共用可能にマグネットの収容部が一対設けられ、所定の一方に前記マグネットが収容されるようになっているとともに、
前記扉における前記ホルダの装着位置の裏面側には補強部材が設けられて、この補強部材を前記扉に固着する固着具が、前記ホルダにおける使用されない側の前記収容部に臨んでいることを特徴とする貯蔵庫の扉スイッチ。
【発明の詳細な説明】
【０００１】
【発明の属する技術分野】
本発明は、冷蔵庫等の貯蔵庫に設ける扉スイッチに関する。
【０００２】
【従来の技術及び発明が解決しようとする課題】
この種の扉スイッチは、扉を開けたときに庫内灯を点けたり、庫内冷却用のファンの駆動を停止するために使用されている。
しかるに従来の扉スイッチは、一般的に部品点数が非常に多くて、各部品のコストや組付工数が嵩みやすく、また寿命が比較的短いという問題があった。
本発明は上記のような事情に基づいて完成されたものであって、その目的は、部品点数が少なく、耐久性にも優れた扉スイッチを提供するところにある。
【０００３】
【課題を解決するための手段】
上記の目的を達成するための手段として、本発明の貯蔵庫の扉スイッチは、貯蔵庫本体にはヒンジ部を介して扉が開閉可能に支持され、このヒンジ部の扉側にはマグネットを収容したホルダが装着される一方、ヒンジ部の貯蔵庫本体側には前記マグネットに感応するリードスイッチが設けられたものであって、前記ホルダには、開閉方向が互いに反対の一対の扉に対して共用可能にマグネットの収容部が一対設けられ、所定の一方に前記マグネットが収容されるようになっているとともに、前記扉における前記ホルダの装着位置の裏面側には補強部材が設けられて、この補強部材を前記扉に固着する固着具が、前記ホルダにおける使用されない側の前記収容部に臨んでいる構成としたところに特徴を有する。
【０００４】
【発明の作用及び効果】
＜請求項１の発明＞
ホルダは、互いに対をなす扉に対しては反対の向きで装着され、それぞれのホルダについては互いに反対の収容部にマグネットを収容する必要がある。
扉におけるホルダの装着位置の裏面側には、予め補強部材が固着され、その固着具は、ホルダにおける本来マグネットが収容されない側の収容部と対応する位置に突出する。続いて、収容部にマグネットを収容したホルダが取り付けられるが、マグネットが正規の収容部に収容されていれば、ホルダの取り付けが可能であり、一方、間違った収容部にマグネットが収容されていると、固着具と干渉してホルダの取り付けができず、もって誤収容が検知される。
リードスイッチとマグネットとを用いた非接触形式としたから、耐久性に優れ、また、ホルダにはマグネットの収容部を一対設けて、開閉方向が反対の一対の扉に対して共用させ得る等、部品点数の削減と、構造の簡略化が図られているから、安価に製造することができる。しかも、マグネットの誤収容を未然に防止することができる。
【０００５】
【発明の実施の形態】
以下、本発明の一実施形態を図１ないし図１４に基づいて説明する。
この実施形態では、冷蔵庫本体１０の前面に左右一対の扉１５が観音開き式に装着された冷蔵庫を例示しており、正面から見た右側の扉１５Ａ（図１３参照）では、右側縁側に上下のヒンジ部２０が、左側の扉１５Ｂ（図１４参照）では、左側縁側に上下のヒンジ部２０がそれぞれ設けられている。
【０００６】
図１では、右側の扉１５Ａにおける上方のヒンジ部２０を示している。
前面の出入口１１の右側縁の上部位置には、Ｌ字形をなす金属製のブラケット２１がネジ２２（図１２，１３参照）により固定され、このブラケット２１からヒンジピン２４が下向きに突設されているとともに、扉１５Ａの上面の右端には、詳しくは後記するように、上面開放の軸受孔３３が形成された合成樹脂製のピンホルダ３１が取り付けられ、ヒンジピン２４が軸受孔３３内に回転可能に嵌合されている。なお図示はしないが、出入口１１の右側縁の下部位置と、扉１５Ａの下面の右端の間にも同様の下方のヒンジ部２０が設けられ、上下のヒンジ部２０を中心として揺動開閉可能に支持されている。
また、正面から見た左側の扉１５Ｂには、上記のように左側縁側に同様の上下のヒンジ部２０が設けられ、揺動開閉可能に支持されている。
【０００７】
ブラケット２１の上面には、リードスイッチ２５が取り付けられている。このリードスイッチ２５は、少し横長のブロック状の樹脂ケース２６を備えており、ブラケット２１の奥縁に寄った位置において、前後両面に設けられた係止腕２７を係止孔２８に差し込むことによって、冷蔵庫本体１０の前面と平行な姿勢で取り付けられている。樹脂ケース２６の左側面からはリード線２９が引き出され、機械室側に導かれている。
【０００８】
ピンホルダ３１は、左右のヒンジ部２０に共用すべく準備されており、図２及び図３にも示すように、長さ方向の一端側を山形とした平面５角形に形成されている。この山形をなす端縁側の下面には円筒部３２が形成され、その上端側の内側により上記したヒンジピン２４が嵌合される軸受孔３３が形成されている。ピンホルダ３１の下面の中央部には、一対のマグネット挿入部３５が中心線を挟んだ前後両側に形成されている。このマグネット挿入部３５は、長方形の１つの角部を面取りしたような平面形状であって、１８０度の対称形状に形成されている。いずれか一方のマグネット挿入部３５に、ほぼ同形状のマグネット３６が収容されるようになっている。また、軸受孔３３が設けられた側とは反対側の端部には、第１リベット孔３８が開口されている。
【０００９】
このピンホルダ３１を取り付けるべく、扉１５Ａの上面の右端には、円筒部３２を挿通可能な挿通孔４０と、上記の第１リベット孔３８と整合する通孔４１が形成されている。なお、左側の扉１５Ｂでは、図６に示すように、その上面の左側に、円筒部３２の挿通孔４０と、第１リベット孔３８と整合する通孔４１が形成されている。
扉１５Ａにおけるピンホルダ３１の取付面の裏側には、金属製の補強板４３が取り付けられるようになっている。この補強板４３も、左右のヒンジ部２０に共用できるように形成されており、コーナの裏面に沿って当てられるようにＬ形に形成されている。補強板４３の水平部の付け根側には、ピンホルダ３１の円筒部３２を挿通する挿通孔４４が形成されているとともに、先端側には、ピンホルダ３１の第１リベット孔３８と扉１５Ａの通孔４１とに整合する第１下孔４５が開口されている。
また、長さ方向の中央部には、一対の第２下孔４６が、中心線を挟んだ前後両側に形成されている。これに対して、扉１５Ａの上面では、挿通孔４０と通孔４１との間において、補強板４３が取り付けられた場合にその両第２下孔４６のうちの手前側の第２下孔４６と整合する位置に第２リベット孔４７が形成されている。
これは左側の扉１５Ｂについても同様である。
【００１０】
続いて、本実施形態の作用を説明する。
冷蔵庫本体１０のブラケット２１には、ヒンジピン２４とリードスイッチ２５とが取り付けられる。
一方、扉１５Ａ側では、まず補強板４３が取り付けられる。具体的には、図４及び図５に示すように、扉１５Ａの裏面の右上隅に補強板４３が当てられ、扉１５Ａにおける第２リベット孔４７から補強板４３の手前側に位置する第２下孔４６にわたって第２リベット５２を打ち込んで固着する。第２リベット５２の頭部５２Ａが、扉１５Ａの上面における挿通孔４０と通孔４１とを結んだ線よりも手前側で突出する。
左側の扉１５Ｂでも、図６に示すように、補強板４３が左右反対の姿勢で左上隅に当てられ、同様に第２リベット５２を打ち込むことで固定される。同じく第２リベット５２の頭部５２Ａが、扉１５Ｂの上面における挿通孔４０と通孔４１とを結んだ線よりも手前側で突出する。
【００１１】
次に、ピンホルダ３１が取り付けられる。右側の扉１５Ａについては、円筒部３２を右側に向けた姿勢とし、マグネット３６は、裏面にある２つのマグネット挿入部３５のうちの奥側のマグネット挿入部３５に入れる。そして、円筒部３２の下端を両挿通孔４０，４４に通しつつ扉１５Ａの上面に載せると、図７ないし図９に示すように、ピンホルダ３１の下面が扉１５Ａの上面にべた当たりしてその間にマグネット３６を収容し、また第２リベット５２の頭部５２Ａは、マグネット３６が挿入されていない手前のマグネット挿入部３５内に突入する。
【００１２】
したがって、マグネット３６を間違えて手前のマグネット挿入部３５（図９の右側）に入れると、ピンホルダ３１を扉１５Ａの上面に載せた場合に、マグネット３６が第２リベット５２の頭部５２Ａと干渉して、ピンホルダ３１を正規に扉１５Ａの上面に当てることができない。これによりマグネット３６の誤挿入が検知され、改めて奥側のマグネット挿入部３５に入れ替えればよい。
ピンホルダ３１が正規に当てられたら、第１リベット孔３８から扉１５Ａの通孔４１、補強板４３の第１下孔４５にわたって第１リベット５１を打ち込み、ピンホルダ３１と補強板４３とで扉１５Ａの上面を挟んで固定する。
【００１３】
左側の扉１５Ｂでは、図１０に示すように、円筒部３２を左側に向けた姿勢でピンホルダ３１が載置され、奥側のマグネット挿入部３５にマグネット３６が正規に入れられていれば、ピンホルダ３１が扉１５Ｂの上面に正規に当てられ、一方、マグネット３６が間違って手前側のマグネット挿入部３５に入れられていれば、第２リベット５２の頭部５２Ａと干渉してピンホルダ３１を正規に当てることができず、同様に誤挿入が検知される。
【００１４】
そして、上記したように、ヒンジピン２４をピンホルダ３１の軸受孔３３に嵌合することで右側の扉１５Ａが開閉可能に支持され、図１１ないし図１３に示すように扉１５Ａが閉められると、リードスイッチ２５とマグネット３６とが少しの間隙を隔てて上下に対向し、非接触式の扉スイッチが構成される。
図１３の状態から、扉１５Ａをヒンジ部２０を中心に反時計回り方向に回動させて開くと、マグネット３６がリードスイッチ２５から離間することでリードスイッチ２５が作動し、図示しない庫内灯を点けたり、庫内冷却用ファンを停止させたりする。
左側の扉１５Ｂでも、図１４に示すように、扉１５Ｂが閉められた状態でリードスイッチ２５とマグネット３６とが少しの間隙を隔てて上下に対向することで、非接触式の扉スイッチが構成され、扉１５Ｂがヒンジ部２０を中心に時計回り方向に回動して開くと、マグネット３６がリードスイッチ２５から離間することでリードスイッチ２５が作動するようになっている。
【００１５】
以上のように本実施形態によれば、扉スイッチを、リードスイッチ２５とマグネット３６とを用いた非接触形式としたから、耐久性に優れ、また、ピンホルダ３１にはマグネット３６を収容するマグネット挿入部３５を一対設け、左右の扉１５Ａ，１５Ｂに対して共用させ得るようになっている等、部品点数の削減と、構造の簡略化が図られているから、安価に製造することができる。
また、扉１５におけるピンホルダ３１の装着位置の裏面側には予め補強板４３が固着され、この補強板４３を固着するために用いた第２リベット５２の頭部５２Ａが、ピンホルダ３１における本来マグネット３６が収容されない側のマグネット挿入部３５と対応する位置に突出する設定となっている。したがって、間違ったマグネット挿入部３５にマグネット３６が収容されていると、第２リベット５２の頭部５２Ａと干渉してピンホルダ３１の取り付けができず、これをもってマグネット３６の誤収容を確実に検知することができる。
【００１６】
＜他の実施形態＞
本発明は上記記述及び図面によって説明した実施形態に限定されるものではなく、例えば次のような実施形態も本発明の技術的範囲に含まれ、さらに、下記以外にも要旨を逸脱しない範囲内で種々変更して実施することができる。
（１）補強板を扉に固着する手段として、リベット以外にネジ等の他の固着具を使用し、その固着具の頭部等の一部をマグネットと干渉させることで誤挿入を検知するようにしてもよい。
（２）本発明は、上記実施形態に例示した冷蔵庫以外にも、揺動開閉される扉を備えた貯蔵庫の扉スイッチ全般に広く適用することができる。
【図面の簡単な説明】
【図１】本発明の一実施形態に係るヒンジ部の分解斜視図
【図２】ピンホルダの底面図
【図３】その縦断面図
【図４】右扉に補強板を取り付けた状態の平面図
【図５】その断面図
【図６】左扉に補強板を取り付けた状態の平面図
【図７】右扉にピンホルダを装着した状態の一部切欠平面図
【図８】その縦断面図
【図９】その横断面図
【図１０】左扉にピンホルダを装着した状態の一部切欠平面図
【図１１】右扉を閉じた状態の一部切欠正面図
【図１２】その一部切欠側面図
【図１３】その一部切欠平面図
【図１４】左扉を閉じた状態の一部切欠平面図
【符号の説明】
１０…冷蔵庫本体
１５Ａ，１５Ｂ…扉
２０…ヒンジ部
２１…ブラケット
２４…ヒンジピン
２５…リードスイッチ
３１…ピンホルダ
３３…軸受孔
３５…マグネット挿入部
３６…マグネット
４３…補強板
５２…第２リベット
５２Ａ…（第２リベット５２の）頭部
【図１】
0003677428.tif 000002
【図２】
0003677428.tif 000003
【図３】
0003677428.tif 000004
【図４】
0003677428.tif 000005
【図５】
0003677428.tif 000006
【図６】
0003677428.tif 000007
【図７】
0003677428.tif 000008
【図８】
0003677428.tif 000009
【図９】
0003677428.tif 000010
【図１０】
0003677428.tif 000011
【図１１】
0003677428.tif 000012
【図１２】
0003677428.tif 000013
【図１３】
0003677428.tif 000014
【図１４】
0003677428.tif 000015